(57)【要約】【課題】  コンクリートブロック、鋼管杭あるいはモルタルといった支柱を固定するための副資材を不必要とし、しかも、支柱の打ち込みが容易に行える、フェンスおよびその構築方法を提供する。【解決手段】  土中に基礎柱１を、その上端部が地面から突出するように打ち込み、次いで、基礎柱１の上端部に主柱２をボルト４により固定して、基礎柱１と主柱２との接続部を地上に露出させ、そして、このようにして構築した主柱２間に金網３を取り付ける。【選択図】  図１
2006028998.tif 000002
【特許請求の範囲】
【請求項１】
土中に打ち込まれる基礎柱と、前記基礎柱に接続される主柱と、前記主柱間に取り付けられる金網とからなることを特徴とするフェンス。
【請求項２】
前記基礎柱および前記主柱は、断面形状がハット形に形成された鋼材からなっていることを特徴とする、請求項１記載のフェンス。
【請求項３】
土中に基礎柱を、その上端部が地面から突出するように打ち込み、次いで、前記基礎柱の前記上端部に主柱を固定して、前記基礎柱と前記主柱との接続部を地上に露出させ、そして、このようにして構築した主柱間に金網を取り付けることを特徴とする、フェンスの構築方法。
【請求項４】
土中に基礎柱を、その上端部が地中に入り込むように打ち込み、次いで、前記基礎柱の前記上端部に主柱を固定して、前記基礎柱と前記主柱との接続部を地中に埋没させ、そして、このようにして構築した主柱間に金網を取り付けることを特徴とする、フェンスの構築方法。
【請求項５】
前記基礎柱と前記主柱との前記接続部を化粧モルタルで仕上げることを特徴とする、請求項４記載の、フェンスの構築方法。
【請求項６】
前記基礎柱および前記主柱として、断面形状がハット形に形成された鋼材を使用することを特徴とする、請求項３から５の何れか１つに記載の、フェンスの構築方法。
【発明の詳細な説明】
【技術分野】
【０００１】
この発明は、フェンスおよびその構築方法、特に、支柱を土中に打ち込まれる基礎柱と、この基礎柱に接続される主柱とにより構成することによって、構築が容易に行え、構築費用のコストダウンが図れる、フェンスおよびその構築方法に関するものである。
【背景技術】
【０００２】
従来、例えば、ネットフェンスは、図５に示すような断面形状ハット形の鋼材からなる支柱６に菱形金網からなるネット金網を取り付けたものから構成されている。
【０００３】
このようなフェンスにおいて、支柱６は、以下のようにして固定されている。図６に示すように、鋼管基礎によって支柱６を固定する場合には、土中に鋼管杭７を打ち込み、鋼管杭７内に支柱６の下部を挿入し、鋼管杭７内にモルタル８を充填することによって固定されている。以下、この固定方法を従来技術１という。
【０００４】
図７に示すように、コンクリートブロック基礎によって支柱６を固定する場合には、床掘りを行って、コンクリートブロック９を埋め込み、コンクリートブロック９に形成されている穴９Ａ内に支柱６の下部を挿入し、穴９Ａ内にモルタル８を充填することによって固定されている。以下、この固定方法を従来技術２という。
【０００５】
支柱の別の固定方法として、上述のように鋼管基礎やコンクリートブロック基礎を使用せず、図８に示すように、支柱６を直接、土中に打ち込む方法がある。以下、この固定方法を従来技術３という。
【発明の開示】
【発明が解決しようとする課題】
【０００６】
しかしながら、上述した従来技術１および２によれば、支柱６の打ち込み作業はないが、支柱や金網以外に、コンクリートブロック９、鋼管杭７あるいはモルタル８といった支柱６を固定するための副資材が必要となるので、材料費が嵩むとともに、これら重量のある副資材を構築現場まで搬送する必要がある。搬送の問題は、構築現場が山中や傾斜地である場合に特に問題となる。また、モルタル８の充填作業に関しては、水の調達がし難い離島等において特に問題となる。
【０００７】
従来技術３は、鋼管基礎やコンクリートブロック基礎が不要であるが、長尺の支柱を直接、土中に打ち込むので、打ち込みが困難であった。
【０００８】
従って、この発明の目的は、コンクリートブロック、鋼管杭あるいはモルタルといった支柱を固定するための副資材を不必要とし、しかも、支柱の打ち込みが容易に行える、フェンスおよびその構築方法を提供することにある。
【課題を解決するための手段】
【０００９】
本願発明者等は、上記目的を達成すべく、従来技術１および２の有する、支柱の打ち込み作業がないといった利点と、従来技術３の有する、コンクリートブロック、鋼管杭あるいはモルタルといった支柱を固定するための副資材が不要であるといった利点を併せ持ったフェンスおよびその構築方法を得べく、鋭意検討を重ねた。この結果、支柱を土中に打ち込まれる基礎柱と、この基礎柱に接続される主柱とに分割すれば、コンクリートブロック、鋼管杭あるいはモルタルといった支柱を固定するための副資材が不必要となり、しかも、基礎柱が短尺であることからその打ち込みも容易に行えるといった知見を得た。
【００１０】
この発明は、上記知見に基づきなされたものであって、下記を特徴とするものである。
【００１１】
請求項１記載の発明は、土中に打ち込まれる基礎柱と、前記基礎柱に接続される主柱と、前記主柱間に取り付けられる金網とからなることに特徴を有するものである。
【００１２】
請求項２記載の発明は、基礎柱および主柱は、断面形状がハット形に形成された鋼材からなっていることに特徴を有するものである。
【００１３】
請求項３記載の発明は、土中に基礎柱を、その上端部が地面から突出するように打ち込み、次いで、前記基礎柱の前記上端部に主柱を固定して、前記基礎柱と前記主柱との接続部を地上に露出させ、そして、このようにして構築した主柱間に金網を取り付けることに特徴を有するものである。
【００１４】
請求項４記載の発明は、土中に基礎柱を、その上端部が地中に入り込むように打ち込み、次いで、前記基礎柱の前記上端部に主柱を固定して、前記基礎柱と前記主柱との接続部を地中に埋没させ、そして、このようにして構築した主柱間に金網を取り付けることに特徴を有するものである。
【００１５】
請求項５記載の発明は、請求項４記載の発明において、基礎柱と主柱との接続部を化粧モルタルで仕上げることに特徴を有するものである。
【００１６】
請求項６記載の発明は、請求項３から５の何れか１つに記載の発明において、基礎柱および主柱として、断面形状がハット形に形成された鋼材を使用することに特徴を有するものである。
【発明の効果】
【００１７】
この発明によれば、支柱を土中に打ち込まれる基礎柱と、この基礎柱に接続される主柱とにより構成することによって、コンクリートブロック、鋼管杭あるいはモルタルといった支柱を固定するための副資材が不必要となり、しかも、基礎柱が短尺であることからその打ち込みも容易に行える。従って、フェンスの構築が容易に行え、構築費用のコストダウンが図れる。
【発明を実施するための最良の形態】
【００１８】
この発明のフェンスの一実施態様を、図面を参照しながら説明する。
【００１９】
図１は、この発明のフェンスを示す側面図、図２は、この発明の別のフェンスを示す側面図、図３は、この発明のさらに別のフェンスを示す側面図である。
【００２０】
図１において、１は、土中に打ち込まれる基礎柱であり、図５に示すように、断面形状がハット形に形成された鋼材からなっている。２は、基礎柱１に接続される主柱であり、基礎柱１と同一形状および寸法の断面形状がハット形に形成された鋼材からなっている。基礎柱１と主柱２とは、図４に示すように、重ね合わされ、ボルト４により結合されている。３は、主柱２間に取り付けられた金網である。金網３は、菱形金網あるいは縦桟と横桟とを格子状に溶接により組んだメッシュ金網であっても良い。
【００２１】
このように構成されている、この発明のフェンスの構築方法を説明する。
【００２２】
先ず、基礎柱１をその上端部が地面から若干、突出するように打ち込む。基礎柱１は短尺であるので、その打ち込みは容易に行える。このようにして、基礎柱１を土中に打ち込んだら、次に、基礎柱１の地上に露出した上端部に主柱２を、図４に示すように重ね合わせてボルト４により固定する。そして、このようにして構築した主柱２間に金網３を取り付ける。
【００２３】
上述した、この発明のフェンスの構築方法によれば、支柱を土中に打ち込まれる基礎柱１と、この基礎柱１に接続される主柱２とに分割し、地上に露出させた基礎柱１にボルト４を介して主柱２を接続することにより、コンクリートブロック、鋼管杭あるいはモルタルといった支柱を固定するための副資材が不必要となる。しかも、基礎柱１は短尺であるので、その打ち込みも容易に行える。
【００２４】
上述したフェンスは、基礎柱１と主柱２との接続部が地上に露出するが、これが外観上問題となる場合には、図２に示すように、予め、基礎柱１を打ち込む地面を、図２中、破線で示すように、若干、床掘りし、基礎柱１と主柱２との接続部を地中に埋没させれば良い。床掘りした地面は、構築後、埋め戻しておく。図２において、図１と同一番号は同一物を示し、説明は省略する。
【００２５】
さらに、図３に示すように、基礎柱１と主柱２との接続部を化粧モルタル５で仕上げれば、一層、外観が良くなる。図３において、図１と同一番号は同一物を示し、説明は省略する。
【図面の簡単な説明】
【００２６】
【図１】この発明のフェンスを示す側面図である。
【図２】この発明の別のフェンスを示す側面図である。
【図３】この発明のさらに別のフェンスを示す側面図である。
【図４】基礎柱と主柱との接続部の断面図である。
【図５】断面形状がハット形の支柱を示す平面図である。
【図６】従来技術１を示す断面図である。
【図７】従来技術２を示す断面図である。
【図８】従来技術３を示す断面図である。
【符号の説明】
【００２７】
１：基礎柱
２：主柱
３：金網
４：ボルト
５：化粧モルタル
６：支柱
７：鋼管杭
８：モルタル
９：コンクリートブロック
９Ａ：穴
【図１】
2006028998.tif 000003
【図２】
2006028998.tif 000004
【図３】
2006028998.tif 000005
【図４】
2006028998.tif 000006
【図５】
2006028998.tif 000007
【図６】
2006028998.tif 000008
【図７】
2006028998.tif 000009
【図８】
2006028998.tif 000010